(57)【特許請求の範囲】
【請求項１】
トラクターヘッドによって牽引可能に構成されたトレーラー上に載置されるヘアサロン用コンテナであって、
内部にヘアサロンが配置される筐体と、
前記筐体から前記トラクターヘッドに向かって張り出すように設けられた設備設置スペースと、
前記設備設置スペース内に配置された汚水槽と、
前記筐体内で発生した汚水を前記ヘアサロン用コンテナの下方に配置された中間槽に誘導する排水管と、
前記中間槽に溜まった前記汚水を前記汚水槽に汲み上げるポンプと、
を備えるヘアサロン用コンテナ。
【請求項２】
前記設備設置スペースは、前記トレーラーの前記トラクターヘッドとの連結部の上方に設けられる、
請求項１に記載のヘアサロン用コンテナ。
【請求項３】
前記設備設置スペースは、前記連結部の上方に配置された床面材を備え、
前記床面材は、平面的に見て前記中間槽と重なる位置に第１の開口を有し、
前記ヘアサロン用コンテナは、一端が前記第１の開口を通じて前記中間槽内に導入され、他端が前記ポンプに接続された配管を有する、
請求項２に記載のヘアサロン用コンテナ。
【請求項４】
前記トレーラーは、進行方向と平行に延在する２本の第１の鋼材を有し、
前記第１の開口は、平面的に見て前記２本の第１の鋼材の間の空間と重なる位置に設けられる、
請求項３に記載のヘアサロン用コンテナ。
【請求項５】
前記筐体は、底面のうち平面的に見て前記中間槽と重なる位置に第２の開口を有し、
前記排水管の一端は前記第２の開口を通じて前記中間槽内に導入され、他端はシンクに接続される、
請求項１乃至４のいずれか一項に記載のヘアサロン用コンテナ。
【請求項６】
前記トレーラーは、進行方向と平行に延在する２本の第２の鋼材を有し、
前記第２の開口は、平面的に見て前記２本の第２の鋼材の間の空間と重なる位置に設けられる、
請求項５に記載のヘアサロン用コンテナ。
【請求項７】
トラクターヘッドによって牽引可能に構成されたトレーラー上に載置されるヘアサロン用コンテナと、
中間槽と、
を備えるヘアサロン用システムであって、
前記ヘアサロン用コンテナは、
内部にヘアサロンが配置される筐体と、
前記筐体から前記トラクターヘッドに向かって張り出すように設けられた設備設置スペースと、
前記設備設置スペース内に配置された汚水槽と、
前記筐体内で発生した汚水を前記中間槽に誘導する排水管と、
前記中間槽に溜まった前記汚水を前記汚水槽に汲み上げるポンプと、
を備え、
前記中間槽は、前記設備設置スペース及び前記筐体の両方の下方に跨がるように配置される、
ヘアサロン用システム。
【請求項８】
前記中間槽は、上面のない直方体形状の箱によって構成される、
請求項７に記載のヘアサロン用システム。
【請求項９】
前記中間槽は、前記トレーラーと一体に形成された治具に固定される、
請求項７又は８に記載のヘアサロン用システム。
【請求項１０】
前記中間槽は、前記治具から取り外し可能に構成される、
請求項９に記載のヘアサロン用システム。
【請求項１１】
前記中間槽は、地面に直置きされる、
請求項７又は８に記載のヘアサロン用システム。
【発明の詳細な説明】
【技術分野】
【０００１】
本発明はヘアサロン用コンテナ及びヘアサロン用システムに関し、特に、トラクターにより牽引可能に構成されたヘアサロン用コンテナ、及び、そのようなヘアサロン用コンテナを含む及びヘアサロン用システムに関する。
【背景技術】
【０００２】
トレーラーやワゴン車などの車両内に配置されたヘアサロン（以下、「移動ヘアサロン」と称する）が知られている。移動ヘアサロンを用いれば、通常の店舗型美容室を建設するよりも格段に安い費用で美容室を開くことができるので、例えば都内で技術を磨いた後に地元で開業したいと考えている美容師にとっては、開業のための選択肢が広がることになる。また、屋外の希望の場所で結婚式をしたいという新郎新婦にとっては、結婚式の場所の選択肢が広がることになる。さらに、移動ヘアサロンは、屋外イベント、映画やドラマのロケ、ＣＭ(Commercial Message)撮影、ＰＶ(Promotion Video)撮影などの際にも便利に使用することができる。
【０００３】
特許文献１〜７には、移動ヘアサロンの例が開示されている。特許文献１〜７に記載の移動ヘアサロンはいずれも、車両の下部に汚水槽を有している。
【先行技術文献】
【特許文献】
【０００４】
【特許文献１】特開平１１−１９８７０９号公報
【特許文献２】特開２０００−０６２５１９号公報
【特許文献３】特開２００４−３３１０４５号公報
【特許文献４】公開実用昭５９−１８６０６２号公報
【特許文献５】公開実用昭６２−１４６６４０号公報
【特許文献６】実登第２６０３７１４号
【特許文献７】実公平０２−０３０３６８号公報
【発明の概要】
【発明が解決しようとする課題】
【０００５】
しかしながら、従来の移動ヘアサロンには、汚水槽から頻繁に汚水を取り出す必要があり、手間がかかるという問題があった。すなわち、車両の下部には、車輪軸、ランディングギア、駐車ブレーキハンドルなど各種の構造物が配置されることから、特許文献１〜７に記載の移動ヘアサロンのように車両の下部に汚水槽を設けることとすると、大容量の汚水槽を設けることができなくなる。その結果、汚水槽から頻繁に汚水を取り出す必要が生じてしまっており、改善が必要とされていた。
【０００６】
したがって、本発明の目的の一つは、従来の移動ヘアサロンに比べて大容量の汚水槽を有するヘアサロン用コンテナ及びヘアサロン用システムを提供することにある。
【課題を解決するための手段】
【０００７】
本発明によるヘアサロン用コンテナは、トラクターヘッドによって牽引可能に構成されたトレーラー上に載置されるヘアサロン用コンテナであって、内部にヘアサロンが配置される筐体と、前記筐体から前記トラクターヘッドに向かって張り出すように設けられた設備設置スペースと、前記設備設置スペース内に配置された汚水槽と、前記筐体内で発生した汚水を前記ヘアサロン用コンテナの下方に配置された中間槽に誘導する排水管と、前記中間槽に溜まった前記汚水を前記汚水槽に汲み上げるポンプと、を備えるヘアサロン用コンテナである。
【０００８】
本発明によれば、車両下部に設置する場合に比べて大容量の汚水槽を設けることが可能になるので、従来の移動ヘアサロンに比べて大容量の汚水槽を有するヘアサロン用コンテナを提供することが可能になる。また、汚水槽を運搬するためのトラックを別に用意する必要がないので、ヘアサロン用コンテナのランニングコストを低減することも可能になる。
【０００９】
また、前記設備設置スペースは、前記トレーラーの前記トラクターヘッドとの連結部の上方に設けられる、こととしてもよい。これによれば、ヘアサロン用コンテナの内部空間を移動ヘアサロンとしてフルに活用することができる。また、連結部上の空間を設備設置スペースとして有効に活用することができる。
【００１０】
また、本発明によるヘアサロン用システムは、トラクターヘッドによって牽引可能に構成されたトレーラー上に載置されるヘアサロン用コンテナと、中間槽と、を備えるヘアサロン用システムであって、前記ヘアサロン用コンテナは、内部にヘアサロンが配置される筐体と、前記筐体から前記トラクターヘッドに向かって張り出すように設けられた設備設置スペースと、前記設備設置スペース内に配置された汚水槽と、前記筐体内で発生した汚水を前記中間槽に誘導する排水管と、前記中間槽に溜まった前記汚水を前記汚水槽に汲み上げるポンプと、を備え、前記中間槽は、前記設備設置スペース及び前記筐体の両方の下方に跨がるように配置される、ヘアサロン用システムである。これによれば、中間槽の構造を簡易なものにすることができる。また、移動ヘアサロンとして使用しないときには中間槽を取り外すことも可能になるので、トラクターヘッドの走行性能に影響を与えることなく中間槽を利用することが可能になるとともに、ヘアサロン用コンテナを地面に直置きすることも可能になる。
【発明の効果】
【００１１】
本発明によれば、従来の移動ヘアサロンに比べて大容量の汚水槽を有するヘアサロン用コンテナを提供することが可能になる。
【図面の簡単な説明】
【００１２】
【図１】本発明の実施の形態によるヘアサロン用コンテナ１の斜視図（ヘアサロン用コンテナ１を積載したトレーラー２をトラクターヘッド３により牽引走行している状態）である。
【図２】本発明の実施の形態によるヘアサロン用コンテナ１の斜視図（ヘアサロン用コンテナ１をヘアサロンとして使用している状態）である。
【図３】本発明の実施の形態によるヘアサロン用コンテナ１の斜視図（トラクターヘッド３を取り外した状態）である。
【図４】（ａ）（ｂ）はそれぞれ、トレーラー２の上面図及び側面図である。
【図５】（ａ）（ｂ）はそれぞれ、ヘアサロン用コンテナ１の水平断面図及び垂直断面図である。
【図６】中間槽７０をトレーラー２に取り付けるための構造を示す図である。
【発明を実施するための形態】
【００１３】
以下、添付図面を参照しながら、本発明の実施の形態について詳細に説明する。
【００１４】
図１乃至図３はそれぞれ、本発明の実施の形態によるヘアサロン用コンテナ１の斜視図である。図１は、ヘアサロン用コンテナ１を積載したトレーラー２をトラクターヘッド３により牽引走行している状態を示し、図２は、ヘアサロン用コンテナ１を移動ヘアサロンとして使用している状態を示し、図３は、トラクターヘッド３を取り外した状態を示している。
【００１５】
初めに図３を参照すると、ヘアサロン用コンテナ１は、内部に移動ヘアサロンが配置される筐体１０と、この筐体１０からトラクターヘッド３に向かって張り出すように設けられた設備設置スペース１１とを有して構成される。このうち筐体１０は、２０フィート長の貨物用コンテナを移動ヘアサロンとして使えるように改造したもので、略直方体の形状を有している。筐体１０の内部には、移動ヘアサロンを運営するために必要となる各種の設備のうち屋内に設置しなければならないもの（例えば、鏡、椅子、シャンプー台、シンク、エアコン室内機など）が配置される。一方、設備設置スペース１１は、移動ヘアサロンを運営するために必要となる各種の設備のうち屋外に設置してよいもの（図１乃至図３に示した汚水槽６０、エアコン室外機６１、給湯器６２、分電盤６３、配水ポンプ６４、発電機６５、燃料タンク６６、受水槽６７など）を配置するためのスペースであり、トレーラー２のトラクターヘッド３との連結部の上方に設けられる。
【００１６】
ヘアサロン用コンテナ１を移動ヘアサロンとして使用するときには、図２に示すように、ヘアサロン用コンテナ１の後方に昇降用の階段２０、デッキ２１、及び天幕２２が設置される。なお、図２では階段２０を進行方向に向かってヘアサロン用コンテナ１の左側に設置しているが、図３に示すように、右側に設置することも可能である。階段２０、デッキ２１、及び天幕２２は、ヘアサロン用コンテナ１を移動ヘアサロンとして使用していないときには、例えば筐体１０の内部に収納される。勿論、これらの部材をヘアサロン用コンテナ１とは別送することとしてもよい。
【００１７】
ヘアサロン用コンテナ１の後方側面は、図２に示すように、両開きの扉３０，３１となっている。ヘアサロン用コンテナ１を移動ヘアサロンとして使用する場合、この扉３０，３１を開け放し、デッキ２１の壁として利用する。扉３０，３１の内側には、利用者が筐体１０内に出入りするための３枚連動引戸３２が設けられる。３枚連動引戸３２の各引戸はそれぞれガラス張りとされており、外気及び塵の侵入防止に加え、筐体１０内への採光を実現する役割を担う。
【００１８】
図４（ａ）（ｂ）はそれぞれ、トレーラー２の上面図及び側面図である。図４（ｂ）には、破線によりヘアサロン用コンテナ１も図示している。これらの図に示すように、トレーラー２は、シャーシ４０，４１と、キングピン４２とを有して構成される。シャーシ４０は、ヘアサロン用コンテナ１を積載するための土台となる部分であり、タイヤ、バンパー、ナンバープレート、ブレーキランプ、方向指示器、ランディングギアなどが取り付けられる。シャーシ４１は、トラクターヘッド３との連結部を構成する部分であり、下面にキングピン４２を有して構成される。トレーラー２は、このキングピン４２がトラクターヘッド３のカプラ（図示せず）と嵌合することによって、トラクターヘッド３に連結される。
【００１９】
図４（ａ）に示すように、シャーシ４０は、進行方向と平行に延在する２本の鋼材４０ａ，４０ｂ（第２の鋼材）と、進行方向と直交する方向に延在する鋼材４０ｃとを有して構成される。また、シャーシ４１は、進行方向と平行に延在する２本の鋼材４１ａ，４１ｂ（第１の鋼材）を有して構成される。鋼材４０ａ〜４０ｃ，４１ａ，４１ｂは、典型的にはＨ形鋼である。鋼材４０ａの先端の上面と鋼材４１ａの末端の下面、鋼材４０ｂの先端の上面と鋼材４１ｂの末端の下面はそれぞれ、溶接により一体化されている。また、鋼材４０ｃはシャーシ４１の最後端に接する位置に設けられ、溶接により鋼材４０ａ，４０ｂと一体化されている。
【００２０】
シャーシ４０を構成する２本の鋼材４０ａ，４０ｂの間には、空間４０Ｓが形成される。同様に、シャーシ４１を構成する２本の鋼材４１ａ，４１ｂの間には、空間４１Ｓが形成される。空間４０Ｓと空間４１Ｓとは、鋼材４０ｃにより区切られている。本実施の形態によるヘアサロン用コンテナ１は、筐体１０内で発生した汚水（例えば、シャンプー台やシンクからの排水）を設備設置スペース１１内の汚水槽６０に移すために、これら空間４０Ｓ，４１Ｓを利用する。この点の詳細については、後述する。
【００２１】
図５（ａ）（ｂ）はそれぞれ、ヘアサロン用コンテナ１の水平断面図及び垂直断面図である。図５（ａ）は、図４（ｂ）に示したＡ−Ａ線に対応するヘアサロン用コンテナ１の断面図を示し、図５（ｂ）は、図５（ａ）に示したＢ−Ｂ線に対応するヘアサロン用コンテナ１の断面図を示している。なお、図５（ａ）（ｂ）には、ヘアサロン用コンテナ１を移動ヘアサロンとして使用している状態を示している。以下、これら図５（ａ）（ｂ）とともに図１乃至図３も参照しながら、設備設置スペース１１の構造と、筐体１０内で生じた汚水を設備設置スペース１１内の汚水槽６０に移すための構成とについて、詳しく説明する。
【００２２】
図１、図３、図５（ａ）、及び図５（ｂ）に示すように、設備設置スペース１１は、直線形状の鋼材５０ａ〜５０ｄと、角丸Ｌ字形状の鋼材５１ａ，５１ｂと、複数の柵５２と、鋼管５３ａ，５３ｂ，５４ａ〜５４ｃと、複数の梁５５と、床面材５６とを有して構成される。
【００２３】
鋼材５０ａ〜５０ｄは、それぞれ例えば溝形鋼であり、平面的に見てロの字型となるように相互に溶接される。具体的に説明すると、まず鋼材５０ｄは、全長にわたって筐体１０の下側の一辺（トラクターヘッド３に対向する側面の下辺）に溶接されるとともに、一端で鋼材５０ａの一端に溶接され、他端で鋼材５０ｃの一端に溶接される。次に、鋼材５０ｂは、一端で鋼材５０ａの他端に溶接され、他端で鋼材５０ｃの他端に溶接される。こうしてロの字型に溶接された鋼材５０ａ〜５０ｄは図４（ａ）に示した鋼材４１ａ，４１ｂの上に載置され、設備設置スペース１１の荷重を支える役割を果たす。
【００２４】
鋼材５１ａは、例えば溝形鋼であり、平面的に見て鋼材５０ａと重なる位置に配置される。鋼材５１ａの一端は鋼材５０ａの他端に溶接され、他端は筐体１０の上端（トラクターヘッド３に対向する側面の上辺の一端）に溶接される。また、鋼材５１ｂは、例えば溝形鋼であり、平面的に見て鋼材５０ｃと重なる位置に配置される。鋼材５１ｂの一端は鋼材５０ｃの他端に溶接され、他端は筐体１０の上端（トラクターヘッド３に対向する側面の上辺の他端）に溶接される。鋼材５１ａ，５１ｂは、鋼材５０ａ〜５０ｄとともに、設備設置スペース１１の荷重を支える役割を果たす。
【００２５】
複数の柵５２は、設備設置スペース１１の４つの側面のうち、筐体１０によって覆われる１側面を除く３側面を覆うように設置される。これらの柵５２は、設備設置スペース１１内に配置した備品が転落してしまうことを防止する役割を担う。また、図３に示すように、進行方向右側側面に設置される柵５２にはドア５２ａが設けられ、進行方向前方側面に設置される柵５２にはドア５２ｂが設けられる。これらドア５２ａ，５２ｂは、作業者が設備設置スペース１１内に出入りするために使用される。
【００２６】
鋼管５３ａは、一端で鋼材５０ａの一端に溶接され、他端で鋼材５１ａの他端に溶接される。同様に、鋼管５３ｂは、一端で鋼材５０ｃの一端に溶接され、他端で鋼材５１ｂの他端に溶接される。また、鋼管５４ａは、一端で鋼材５１ａの他端に溶接され、他端で鋼材５１ｂの他端に溶接される。鋼管５４ｂ，５４ｃは、それぞれ鋼管５４ａと平行に、鋼管５４ａと鋼材５０ｄの間に等間隔で配置され、それぞれの一端で鋼管５３ａに、他端で鋼管５３ｂに溶接される。これら鋼管５３ａ，５３ｂ，５４ａ〜５４ｃは、設備設置スペース１１の補強の他、設備設置スペース１１内の備品（柵５２を含む）を固定するために使用される。
【００２７】
複数の梁５５は、それぞれ鋼材５０ｂと平行に、鋼材５０ｂ，５０ｄの間に等間隔で配置される。各梁５５の一端は鋼材５０ａに溶接され、他端は鋼材５０ｃに溶接される。床面材５６は例えば鋼板又は木製の薄板であり、設備設置スペース１１の底面の全体を覆うように、各梁５５に跨がって配置される。
【００２８】
設備設置スペース１１の内部には、上述した汚水槽６０、エアコン室外機６１、給湯器６２、分電盤６３、配水ポンプ６４、発電機６５、燃料タンク６６、及び受水槽６７の他、図５（ａ）（ｂ）に示すように、汚水汲み上げ用ポンプ６８が配置される。設備設置スペース１１内に配置されるこれらの備品の一部は床面材５６の上面に載置され、残りの一部は筐体１０の前方側面等に取り付けられる。
【００２９】
ヘアサロン用コンテナ１の下方には、図５（ｂ）に模式的に示すように、筐体１０内で生じた汚水を一時的に溜めるための中間槽７０が配置される。この中間槽７０は、ヘアサロン用コンテナ１とともにヘアサロン用システムを構成する部材であり、設備設置スペース１１及び筐体１０の両方の下方に跨がるように配置される。より具体的に言えば、中間槽７０は、図４に示した空間４０Ｓと空間４１Ｓの両方の下方に跨がるように配置される。中間槽７０の具体的な構造としては、例えば工具や衣装を収納するためのプラスチックケースのような、上面のない直方体形状の箱を採用することが好適である。なお、中間槽７０は、ヘアサロン用コンテナ１を移動ヘアサロンとして使用する場合にのみ必要となるものなので、地面に直置きして構わない。ただし、後掲する図６に示すように、トレーラー２に取り付けることとしてもよい。
【００３０】
床面材５６は、平面的に見て空間４１Ｓ（図４（ａ）を参照）及び中間槽７０と重なる位置に、第１の開口Ｏ１を有して構成される。また、筐体１０の床面には、平面的に見て空間４０Ｓ（図４（ａ）を参照）及び中間槽７０と重なる位置に、第２の開口Ｏ２が設けられる。
【００３１】
第２の開口Ｏ２は、一端が筐体１０内のシンクやシャンプー台に接続された１以上の排水管８０の他端をトレーラー２の下方に露出させる役割を担う。こうしてトレーラー２の下方に露出した各排水管８０の他端は、平面的に見て中間槽７０と重なる位置に第２の開口Ｏ２が設けられていることから、中間槽７０の真上に位置することになる。したがって、筐体１０内で発生し各排水管８０を通過してきた汚水は、中間槽７０内に排水されることになる。なお、筐体１０内設備の増設工事を行わない限り、第２の開口Ｏ２を通す必要のある排水管８０の本数は一定であるので、第２の開口Ｏ２の隙間はパテで埋めておくことが好ましい。
【００３２】
第１の開口Ｏ１は、一端が汚水汲み上げ用ポンプ６８の吸入口に接続された配管８１の他端をトレーラー２の下方に露出させる役割を担う。こうしてトレーラー２の下方に露出した配管８１の他端は、平面的に見て中間槽７０と重なる位置に第１の開口Ｏ１が設けられていることから、中間槽７０の真上に位置することになる。配管８１は、普段は床面材５６の上面に置かれているが、汚水汲み上げ用ポンプ６８を作動させる際、作業員の手作業により、第１の開口Ｏ１を通じて中間槽７０内に導入される。なお、配管８１の長さは、他端が中間槽７０の底部に十分に達する程度に設定することが好ましい。また、このように適宜、配管８１を通したり除いたりする必要があることから、第１の開口Ｏ１には、容易に開閉できる蓋を設けておくことが好ましい。
【００３３】
汚水汲み上げ用ポンプ６８の吐出口は、他端が汚水槽６０に接続された配管８２の一端に接続される。作業員が汚水汲み上げ用ポンプ６８を作動させると、汚水汲み上げ用ポンプ６８は、配管８１を通じて中間槽７０内の汚水を吸引し、配管８２を通じて汚水槽６０内に吐出する役割を果たす。こうして、筐体１０内で生じた汚水の汚水槽６０への移動が実現される。
【００３４】
図６は、中間槽７０をトレーラー２に取り付けるための構造を示す図である。同図に示すように、この例によるヘアサロン用システムは、溶接によりシャーシ４０と一体に形成された治具７１を有して構成される。この治具７１は、中間槽７０の長辺方向の少なくとも半分以上を横方向に挿入可能な構造を有している。中間槽７０は、治具７１内に挿入され、さらにゴムバンド７２によって付勢された状態で、治具７１に取り付けられる。
【００３５】
治具７１は、図６に示すように、中間槽７０の真上を鋼材４０ｃが横切ることとなる位置に設けられる。上述したように、鋼材４０ｃは空間４０Ｓと空間４１Ｓを区切る位置にあるので、こうすることで、中間槽７０の真上に空間４０Ｓと空間４１Ｓの両方が位置することになる。したがって、第１の開口Ｏ１及び第２の開口Ｏ２の真下に中間槽７０を配置することが可能になるので、各排水管８０及び配管８１を、トレーラー２の下方で引き回すことなく中間槽７０内に引き込むことが可能になる。
【００３６】
ここで、図６の構造によれば、トレーラー２の走行時には、中間槽７０を治具７１から取り外す必要がある。中間槽７０の進行方向先端がトラクターヘッド３と干渉するからである。この点、図６の構造によれば、ゴムバンド７２を外すことで、容易に中間槽７０を治具７１から取り外すことができる。したがって、図６の構造によれば、トラクターヘッド３の走行性能に影響を与えることなく、中間槽７０を利用することが可能になる。
【００３７】
以上説明したように、本実施の形態によるヘアサロン用コンテナ１及びヘアサロン用システムによれば、筐体１０からトラクターヘッド３に向かって張り出すように設けた設備設置スペース１１内に汚水槽６０を設置することができる。したがって、トレーラー２の下部に設置する場合に比べて大容量の汚水槽を設けることが可能になるので、従来の移動ヘアサロンに比べて、大容量の汚水槽を有するヘアサロン用コンテナ１を提供することが可能になる。また、汚水槽を運搬するためのトラックを別に用意する必要がないので、ヘアサロン用コンテナ１のランニングコストを低減することも可能になる。
【００３８】
また、設備設置スペース１１がトレーラー２のトラクターヘッド３との連結部の上方に配置されるので、ヘアサロン用コンテナ１の内部空間を移動ヘアサロンとしてフルに活用することができる。また、通常使用されない連結部上の空間を、設備設置スペース１１として有効に活用することができる。
【００３９】
また、本実施の形態によるヘアサロン用コンテナ１及びヘアサロン用システムによれば、中間槽７０の構造を簡易なもの（例えば、上面のない直方体形状の箱）にすることができる。また、移動ヘアサロンとして使用しないときには中間槽７０を取り外すことも可能になるので、トラクターヘッド３の走行性能に影響を与えることなく中間槽７０を利用することが可能になるとともに、ヘアサロン用コンテナ１を（トレーラー２から外して）地面に直置きすることも可能になる。
【００４０】
以上、本発明の好ましい実施の形態について説明したが、本発明はこうした実施の形態に何等限定されるものではなく、本発明が、その要旨を逸脱しない範囲において、種々なる態様で実施され得ることは勿論である。
【００４１】
例えば、上記実施の形態では、筐体１０からトラクターヘッド３に向かって張り出すように設けた設備設置スペース１１内に汚水槽６０を設置する例を説明したが、トレーラー２横の地面上や、トレーラー２とは別のトラックの荷台など、トレーラー２上以外の場所に汚水槽６０を設置することとしてもよい。こうすることによっても、トレーラー２の下部に設置する場合に比べて大容量の汚水槽を利用することが可能になる。
【符号の説明】
【００４２】
１              ヘアサロン用コンテナ
２              トレーラー
３              トラクターヘッド
１０            筐体
１１            設備設置スペース
２０            階段
２１            デッキ
２２            天幕
３０，３１      扉
３２            ３枚連動引戸
４０，４１      シャーシ
４０Ｓ，４１Ｓ  空間
４０ａ〜４０ｃ  鋼材
４１ａ，４１ｂ  鋼材
４２            キングピン
５０ａ〜５０ｄ，５１ａ，５１ｂ  鋼材
５２            柵
５２ａ，５２ｂ  ドア
５３ａ，５３ｂ，５４ａ〜５４ｃ  鋼管
５５            梁
５６            床面材
６０            汚水槽
６１            エアコン室外機
６２            給湯器
６３            分電盤
６４            配水ポンプ
６５            発電機
６６            燃料タンク
６７            受水槽
６８            汚水汲み上げ用ポンプ
７０            中間槽
７１            治具
７２            ゴムバンド
８０            排水管
８１，８２      配管
Ｏ１            第１の開口
Ｏ２            第２の開口
【要約】
【課題】従来の移動ヘアサロンに比べて大容量の汚水槽を有するヘアサロン用コンテナ及びヘアサロン用システムを提供する。
【解決手段】本発明によるヘアサロン用コンテナ１は、トラクターヘッドによって牽引可能に構成されたトレーラー上に載置されるヘアサロン用コンテナ１であって、内部にヘアサロンが配置される筐体１０と、筐体１０からトラクターヘッドに向かって張り出すように設けられた設備設置スペース１１と、設備設置スペース１１内に配置された汚水槽６０と、筐体１０内で発生した汚水をヘアサロン用コンテナ１の下方に配置された中間槽７０に誘導する排水管８０と、中間槽７０に溜まった汚水を汚水槽６０に汲み上げる汚水汲み上げ用ポンプ６８と、を備える。
【選択図】図５【図１】
0006727601.tif 000002
【図２】
0006727601.tif 000003
【図３】
0006727601.tif 000004
【図４】
0006727601.tif 000005
【図５】
0006727601.tif 000006
【図６】
0006727601.tif 000007